【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
ラゲージ製品の製造方法において、
幅および長さを有する第１のハードシェル材料層を調製するステップと；
前記第１のハードシェル材料層の前記幅および前記長さと実質的に類似する幅および長さを有する第２のハードシェル材料層を調製するステップと；
少なくとも前記第１のハードシェル材料層と前記第２のハードシェル材料層の間に１つ以上の加飾基材を配置するステップと；
前記第１のハードシェル材料層、前記第２のハードシェル材料層および前記１つ以上の加飾基材を共に加熱することによって、前記第１のハードシェル材料層、前記第２のハードシェル材料層および前記１つ以上の加飾基材をハードラゲージシェルに形成するステップと；
を含む方法。
【請求項２】
前記第１のハードシェル材料層、前記第２のハードシェル材料層および前記１つ以上の加飾基材をハードラゲージシェルに形成するステップは、前記第１のハードシェル材料層、前記第２のハードシェル材料層および前記１つ以上の加飾基材を共に共にプレス加工することをさらに含む、請求項１に記載の方法。
【請求項３】
前記１つ以上の加飾基材が、実質的に類似の幅および長さを有する３層以上のハードシェル材料層の間に配置されている、請求項１に記載の方法。
【請求項４】
前記第１のハードシェル材料層の前記幅および長さと実質的に類似する幅および長さを有する第３のハードシェル材料層を調製するステップと；
前記第３のハードシェル材料層内に開口部を切断するステップであって、開口部が前記１つ以上の加飾基材のサイズ、形状および配設に実質的に整合する、ステップと；
をさらに含み、
前記ハードラゲージシェルに形成するステップは、前記第３のハードシェル材料層内の前記開口部が前記１つ以上の加飾基材と実質的に整列するように、前記第２のハードシェル材料層の上に前記第３のハードシェル材料層を設置するステップと、前記第１のハードシェル材料層、前記第２のハードシェル材料層、前記１つ以上の加飾基材および前記第３のハードシェル材料層を共に加熱するステップとをさらに含む、請求項３に記載の方法。
【請求項５】
前記ハードラゲージシェルに形成するステップは、前記第１のハードシェル材料層、前記第２のハードシェル材料層、前記１つ以上の加飾基材および前記第３のハードシェル材料層を共に共にプレス加工するステップをさらに含む、請求項４に記載の方法。
【請求項６】
前記１つ以上の加飾基材が、プラスチック、金属、木材、ボール紙、発泡スチレンおよび／または発泡材のいずれかから形成される、請求項４に記載の方法。
【請求項７】
ハードシェル材料が、ポリ塩化ビニル（ＰＶＣ）、ポリエチレン（ＰＥ）、ポリプロピレン（ＰＰ）、カーボンファイバおよび／またはＴｅｇｒｉｓ（登録商標）のうちの少なくとも１つを含む、請求項６に記載の方法。
【請求項８】
各コーナーの近傍で前記第１、第２および第３のハードシェル材料層の一部分を除去して、各コーナーにそれぞれの切欠きを画定するステップと；
前記第１、第２および第３のハードシェル材料層の第１および第２の縁部を折畳んでラゲージ１個の第１および第２の側面を形成するステップと；
前記第１、第２および第３のハードシェル材料層の第３および第４の縁部を折畳んで、第３および第４の側面を形成するステップと；
剛性コーナー部片を各切欠きの近傍で前記第１および第２の側面に固定するステップと、
をさらに含む、請求項７に記載の方法。
【請求項９】
前記１つ以上の加飾基材が、前記第１、第２および第３のハードシェル材料層の前記第１、第２、第３および／または第４の側面のうちの少なくとも１つの内部に配置されている、請求項８に記載の方法。
【請求項１０】
前方ハードラゲージシェル区分および後方ハードラゲージシェル区分を含むラゲージ製品において、
前記前方ハードラゲージシェル区分および前記後方ハードラゲージシェル区分の各々が、
幅および長さを有する第１のハードシェル材料層と；
前記第１のハードシェル材料層の前記幅および前記長さと実質的に類似する幅および長さを有する第２のハードシェル材料層と；
少なくとも前記第１のハードシェル材料層と少なくとも前記第２のハードシェル材料層との間に配置された１つ以上の加飾基材と；
を含むラゲージ製品であって、
少なくとも前記第１のハードシェル材料層、前記第２のハードシェル材料層および前記１つ以上の加飾基材がハードシェル区分を含んでおり、
前記第１のハードシェル材料層、前記第２のハードシェル材料層および前記１つ以上の加飾基材は、少なくとも前記第１のハードシェル材料層、前記第２のハードシェル材料層および前記１つ以上の加飾基材を共に加熱することによってハードシェル区分に形成される、
ラゲージ製品。
【請求項１１】
前記第１のハードシェル材料層、前記第２のハードシェル材料層および前記１つ以上の加飾基材は、少なくとも前記第１のハードシェル材料層、前記第２のハードシェル材料層および前記１つ以上の加飾基材を共にプレス加工することによってハードシェル区分に形成される、請求項１０に記載のラゲージ製品。
【請求項１２】
前記１つ以上の加飾基材が、複数のドット、複数の平行線、複数の多角形、モノグラム、およびロゴのうちの少なくとも１つを含む、請求項１０に記載のラゲージ製品。
【請求項１３】
前記１つ以上の加飾基材が、実質的に類似の幅および長さを有する３層以上のハードシェル材料層の間に配置されている、請求項１０に記載のラゲージ製品。
【請求項１４】
前記第１のハードシェル材料層の前記幅および前記長さに実質的に類似する幅および長さを有し、前記１つ以上の加飾基材のサイズ、形状および配設に実質的に整合する開口部を有する第３のハードシェル材料層をさらに含み、
前記第３のハードシェル材料層内の前記開口部が前記１つ以上の加飾基材と整列して、前記１つ以上の加飾基材の少なくとも一部分が前記開口部を通って突出するように、前記第３のハードシェル材料層は、前記第２のハードシェル材料層の上に配置される、請求項１０に記載のラゲージ製品。
【請求項１５】
前記１つ以上の加飾基材が、プラスチック、金属、木材、ボール紙および／または発泡材のいずれかから形成される、請求項１４に記載のラゲージ製品。
【請求項１６】
ハードシェル材料が、ポリ塩化ビニル（ＰＶＣ）、ポリエチレン（ＰＥ）、ポリプロピレン（ＰＰ）、カーボンファイバおよび／またはＴｅｇｒｉｓ（登録商標）を含む、請求項１５に記載のラゲージ製品。
【請求項１７】
前記前方ハードラゲージシェル区分および前記後方ハードラゲージシェル区分の少なくとも一方において、
前記第１、第２および第３のハードシェル材料層が少なくとも１つのコーナーを有し、ここで前記ハードシェル材料の一部分は除去されて前記少なくとも１つのコーナーの近傍で少なくとも１つの切欠きを形成しており、前記切欠きに隣接する前記少なくとも１つの区分の第１および第２の縁部は前記少なくとも１つの区分の内部表面との関係において内向きに折畳まれて前記ラゲージ製品の第１および第２の側面を形成しており、
少なくとも１つの剛性コーナー部片が、前記少なくとも１つの切欠きの近傍で前記第１および第２の側面に固定されており、
第２の切欠きに隣接する前記第１、第２および第３のハードシェル材料層の第３および第４の縁部は、前記内部表面との関係において内向きに折畳まれて、前記ラゲージ製品の第３および第４の側面を形成している、
請求項１６に記載のラゲージ製品。
【請求項１８】
前記前方ハードラゲージシェル区分または前記後方ハードラゲージシェル区分のうちの少なくとも１つが少なくとも１つのコーナーを有し、ここで前記第１および第２のハードシェル材料層の一部分が除去されて少なくとも１つのコーナーの近傍で少なくとも１つの切欠きを形成しており、前記切欠きに隣接する前記少なくとも１つの区分の第１および第２の側面は、前記少なくとも１つの区分の内部表面との関係において内向きに折畳まれて前記第１および第２の側面を形成し、前記第１および第２の側面は前記ラゲージ１個の第２および第３の側面を画定しており、
少なくとも１つの剛性コーナー部片が、前記少なくとも１つの切欠きの近傍で前記第１および第２の側面に固定されている、請求項１０に記載のラゲージ製品。
【請求項１９】
前記少なくとも１つの剛性コーナー部片は、硬質シェル材料の前記少なくとも１つの区分の前記内部表面上に配置された内部締結部片に固定されており、前記少なくとも１つの区分は、前記内部締結部片と前記少なくとも１つの剛性コーナー部片の間に配置されている、請求項１８に記載のラゲージ製品。
【請求項２０】
前記少なくとも１つの剛性コーナー部片が、支持構造により第２の剛性コーナー部片に連結されている、請求項１９に記載のラゲージ製品。